(57)【要約】【課題】  絶縁樹脂で形成されたハウジングと、ハウジングに装着された端子台と、絶縁樹脂で形成され端子台の結線部近傍に嵌装される保護キャップを備えたモジュラジャックにおいて、端子台から保護キャップを容易に取り外しうる構造を提供する。【解決手段】  端子台２は、その両側に設けられた保護壁の外面に形成された係合爪２７を有し、保護キャップ３は、天板３１と、天板３１の両側部から下方に突出するように形成された側壁３２と、側壁３２に形成され、係合爪２７に係合される係合孔３２ａと、側壁３２に形成され、加圧力を受けて撓むことにより係合孔３２ａの近傍を弾性変形させる操作部３３と、操作部３３に設けられ、側壁３２よりも外側に突出する突起３３ａを有し、突起３３ａは、操作部３３が撓み可能な限界まで撓んだ状態において、側壁３２よりも外側に突出している。【選択図】図３
2006210075.tif 000002
【特許請求の範囲】
【請求項１】
絶縁樹脂で形成されたハウジングと、ハウジングに装着された端子台と、絶縁樹脂で形成され端子台の結線部近傍に嵌装される保護キャップを備えたモジュラジャックであって、
前記端子台は、その両側に設けられた保護壁の外面に形成された係合爪を有し、
前記保護キャップは、天板と、前記天板の両側部から下方に突出するように形成され、前記端子台の保護壁に対向する側壁と、前記側壁に形成され、前記係合爪に係合される係合孔と、前記側壁に形成され、加圧力を受けて撓むことにより前記係合孔の近傍を弾性変形させる操作部と、前記操作部に設けられ、前記側壁よりも外側に突出する突起を有し、
前記突起は、前記操作部が撓み可能な限界まで撓んだ状態において、前記側壁よりも外側に突出する長さに形成されていることを特徴とするモジュラジャック。
【請求項２】
絶縁樹脂で形成されたハウジングと、ハウジングに装着された端子台と、絶縁樹脂で形成され端子台の結線部近傍に嵌装される保護キャップを備えたモジュラジャックであって、
前記端子台は、その両側に設けられた保護壁の外面に形成された係合爪を有し、
前記保護キャップは、天板と、前記天板の両側部から下方に突出するように形成され、前記端子台の保護壁に対向する側壁と、前記側壁に形成され、前記係合爪に係合される係合孔と、前記側壁に形成され、加圧力を受けて撓むことにより前記係合孔の近傍を弾性変形させる操作部を有し、
前記操作部の上端は、前記天板よりも上に突出していることを特徴とするモジュラジャック。
【発明の詳細な説明】
【技術分野】
【０００１】
本発明は、モジュラジャック、特にその端子台から取り外し容易な保護キャップに関する。
【背景技術】
【０００２】
例えばＬＡＮケーブルなどの情報通信用のツイストペアケーブル同士を接続するために、例えば、特許文献１に示されたようなモジュラプラグ及びそのモジュラプラグが接続されるモジュラジャックが使用されている。そのようなモジュラジャックは、絶縁樹脂で形成されたハウジングと、ハウジングに装着された端子台と、絶縁樹脂で形成され端子台の結線部近傍に嵌装される保護キャップで構成されている。
【０００３】
そのようなモジュラジャックは、保護キャップが端子台に係合された状態でメーカから出荷される。そのため、建築現場などにおいて結線作業を行う際、最初に保護キャッを端子台から取り外さなければならない。また、一旦モジュラジャックにツイストペアケーブルの各電線をそれぞれ結線した後、結線ミスが発見され、結線作業をやり直さなければならない場合もある。ところが、従来のモジュラジャックでは、保護キャップの操作部は、その本体部の表面及び側壁の側面からほとんど突出しておらず、操作部が非常に小さいので、操作性が悪いという問題点を有していた。そのため、端子台から保護キャップを外す際、比較的大きな力を操作部に加えないと端子台の係合爪と保護キャップの係合孔との係合を解除することができないという問題を有していた。
【特許文献１】特開２００４−３１９２０７号公報
【発明の開示】
【発明が解決しようとする課題】
【０００４】
本発明は、上記従来例の問題を解決するためになされたものであり、簡単に保護キャップを端子台から取り外すことが可能なモジュラジャックを提供することを目的とする。
【課題を解決するための手段】
【０００５】
上記目的を達成するために請求項１の発明は、絶縁樹脂で形成されたハウジングと、ハウジングに装着された端子台と、絶縁樹脂で形成され端子台の結線部近傍に嵌装される保護キャップを備えたモジュラジャックであって、前記端子台は、その両側に設けられた保護壁の外面に形成された係合爪を有し、前記保護キャップは、天板と、前記天板の両側部から下方に突出するように形成され、前記端子台の保護壁に対向する側壁と、前記側壁に形成され、前記係合爪に係合される係合孔と、前記側壁に形成され、加圧力を受けて撓むことにより前記係合孔の近傍を弾性変形させる操作部と、前記操作部に設けられ、前記側壁よりも外側に突出する突起を有し、前記突起は、前記操作部が撓み可能な限界まで撓んだ状態において、前記側壁よりも外側に突出する長さに形成されていることを特徴とする。
【０００６】
請求項２の発明は、絶縁樹脂で形成されたハウジングと、ハウジングに装着された端子台と、絶縁樹脂で形成され端子台の結線部近傍に嵌装される保護キャップを備えたモジュラジャックであって、前記端子台は、その両側に設けられた保護壁の外面に形成された係合爪を有し、前記保護キャップは、天板と、前記天板の両側部から下方に突出するように形成され、前記端子台の保護壁に対向する側壁と、前記側壁に形成され、前記係合爪に係合される係合孔と、前記側壁に形成され、加圧力を受けて撓むことにより前記係合孔の近傍を弾性変形させる操作部を有し、前記操作部の上端は、前記天板よりも上に突出していることを特徴とする。
【発明の効果】
【０００７】
請求項１の発明によれば、保護キャップの操作部に加圧力を加え、操作部が最大限に撓んだ状態でも、突起が側壁よりも外側に突出しているので、作業者の指が保護キャップの側壁に触れる程度が軽減され、加圧力を十分に操作部に伝えることができる。従って、その状態で操作部を端子台とは反対側に引き上げれば、きわめて簡単に、かつ小さい力で、保護キャップを端子台から取り外すことができる。
【０００８】
請求項２の発明によれば、操作部の上端が保護キャップの天板よりも上方に突出しているので、保護キャップの操作部に力を加えて撓ませても、作業者の指が保護キャップの側壁に触れることはなく、又は触れたとしてもわずかであり、加圧力を十分に操作部に伝えることができる。従って、その状態で操作部を端子台とは反対側に引き上げれば、きわめて簡単に、かつ小さい力で、保護キャップを端子台から取り外すことができる。
【発明を実施するための最良の形態】
【０００９】
本発明の一実施形態に係るモジュラジャックについて、図１〜図４を参照しつつ説明する。図１は本実施形態に係るモジュラジャックの構成を示し、図２はその端子部の結線状態を示す。図３（ａ）は保護キャップの一構成例を示し、図３（ｂ）は保護キャップを端子台に嵌装した状態を示す。図４（ａ）は保護キャップの他の構成例を示し、図４（ｂ）は保護キャップを端子台に嵌装した状態を示す。
【００１０】
モジュラジャック１０は、絶縁樹脂で形成されたハウジング１と、ハウジング１の内部に装着された端子台２と、絶縁樹脂で形成され端子台２の結線部近傍に嵌装される保護キャップ３を備えている。ハウジング１の前側には、ツイストペアケーブルに接続されたモジュラプラグ（図示せず）が挿入されるプラグ挿入口１１ａが形成されている。端子台２は、ハウジング１の内部で、かつ、プラグ挿入口１１ａの内側に装着されている。また端子台２上には、モジュラプラグの接触子に接触可能なように複数本（例えば８本）の線状コンタクト１３が配列されると共に、各コンタクト１３にそれぞれ電気的に接続され、絶縁被覆された電線５が接続される複数（例えば８枚）の端子板２４が立設されている。
【００１１】
ハウジング１は、その先端部に略直方体状の接続台１１を備えており、接続台１１の前面に上記プラグ挿入口１１ａが開口している。接続台１１の後面下部からは、端子台２が装着される基台１２が、後方へ連続一体に突設されている。
【００１２】
端子台２は、基台１２の上面側に配設されており、各端子板２４は端子台２の上面から突出するように、端子台２の左右両側部において４枚ずつ、前後方向に沿って配置されている。周知のように、各端子板２４は上縁に開放された圧接スリットを有するように、二股のフォーク状に形成されており、厚み方向が端子台２の左右方向に一致するように配置されている。圧接スリットの幅は、接続される電線５の芯線に圧接スリットの両側縁が圧接する程度に設定されている。そして、絶縁被覆を有する電線５を上方から圧接スリットに圧入すると、電線５の絶縁被覆が圧接スリットの両側縁で破断され、圧接スリットの中で芯線が端子板２４に圧接される。
【００１３】
端子台２の上面の両側部には、端子板２４の先端よりもさらに突出した複数の保護壁２３が形成されている。前後方向に隣り合う各一対の保護壁２３の対向面の略中央部には、それぞれ保持溝２３ｂが上下方向に沿って形成されており、端子板２４は保持溝２３ｂにより保持されている。それにより、端子板２４は、前後に隣り合う２つの保護壁２３によって保護され、圧接スリットは２つの保護壁２３の間に配置されている。前後方向に隣り合う各一対の保護壁２３の隙間は、電線５を挿入できるように、かつ圧接スリットの幅寸法に比べて広く設定されている。さらに、上部ほど上記隙間が広くなるように、各一対の保護壁２３の上端部には傾斜面が形成されている。そのため、ツイストペアケーブル４の各電線５を、それぞれ各一対の保護壁２３の隙間に容易に導入することができる。そして、各電線５を、それぞれ端子板２４の圧接スリットに上方から圧入することにより、電線５を端子板２４に電気的に接続することができる。また、端子台２の上面の中央部には、ツイストペアケーブル４のシース４ａを位置決めするための位置決め凹部２２が形成されている。また、端子台２の後端には、ツイストペアケーブル４を保持する保持突起２６が形成されている。
【００１４】
端子台２上の中央の各保護壁２３の外側面には、保護キャップ３と係合される係合爪２７が突設されている。また、係合爪２７の上部には、上端縁に近づくほど外側面からの突出量が小さくなるように傾斜した誘導面２７ａが形成されている。
【００１５】
一方、保護キャップ３は、端子台２の上面を覆う程度の寸法に形成され、天板３１の両側部には、各保護壁２３の外側面に沿って嵌装される側壁３２がそれぞれ形成されている。側壁３２の前後方向の中央部には、係合爪２７と係合される矩形状の係合孔３２ａが形成されている。また、各側壁３２の係合孔３２ａの前後方向の両側には、下縁が開放された切込溝３２ｂが形成されていると共に、切込溝３２ｂよりも係合孔３２ａから離れた位置に、上縁が開放された切込溝３２ｃが形成されている。このような構成により、側壁３２のうち、係合孔３２ａを挟むように形成された切込溝３２ｂと３２ｃ間の部位が撓みやすくなる。さらに、各側壁３２の切込溝３２ｃ間の上端縁には、操作部３３が形成されており、天板３１の両側部近傍には、操作部３３を囲むように切欠３１ａが形成されている。各操作部３３に、それぞれ切欠３１ａ側に撓ませるように力を加えると、切込溝３２ｂと３２ｃ間の部位が撓み、係合孔３２ａを取り囲む部分が変形する。すなわち、側壁３２の前後方向の中央部には、係合孔３２ａを取り囲むようにして、端子台２と係合されるための係合部３２ｄが形成されている。
【００１６】
保護キャップ３を端子台２に取り付ける場合、側壁３２を端子台２の保護壁２３の外側面に沿うようにして、端子台２の上方から下方に向けて保護キャップ３を移動させると、係合部３２ｄが係合爪２７の誘導面２７ａに当接して撓み、係合部３２ｄに設けられた係合孔３２ａと係合爪２７とが係合される。それにより、保護キャップ３が端子台２に係合される。保護キャップ３を端子台２から取り外す場合、各操作部３３に力を加えて切欠３１ａ側に撓ませ、その状態で保護キャップ３を上方に引き上げる。それにより、係合爪２７と係合孔３２ａとの係合が解除され、端子台２から保護キャップ３を取り外すことができる。
【００１７】
図３に示す構成例では、保護キャップ３を端子台２から容易に取り外すことができるように、操作部３３に、側壁３２よりも外側に大きく突出した突起３３ａが形成されている。従来のモジュラジャックにおいて、保護キャップを端子台から取り外しにくかった理由として、保護キャップの操作部に力を加えて撓ませると、操作部が側壁よりも内側に窪んでしまい、作業者の指が保護キャップの側壁に触れ、加圧力が十分に操作部に伝わらないと考えられる。操作部３３が最大限に撓み、操作部３３の内面が切欠３１ａの側面に接触し、それ以上撓めなくなった状態でも、突起３３ａが側壁３２よりも外側に突出しているように、突起３３ａの突出量が設定されている。その結果、保護キャップ３の操作部３３に力を加えて撓ませると、突起３３ａが側壁よりも外側に突出しているので、作業者の指が保護キャップ３の側壁３２に触れる程度が軽減され、加圧力を十分に操作部３３に伝えることができる。従って、その状態で操作部３３を端子台２とは反対側に引き上げれば、きわめて簡単に、かつ小さい力で、保護キャップ３を端子台２から取り外すことができる。
【００１８】
一方、図４に示す構成例では、操作部３３の上端３３ｂが保護キャップ３の天板３１よりも上方に突出するように形成されている。この場合、保護キャップ３の操作部３３に力を加えて撓ませても、作業者の指が保護キャップ３の側壁３２に触れることはなく、又は触れたとしてもわずかであり、加圧力を十分に操作部３３に伝えることができる。この場合も同様に、その状態で操作部３３を端子台２とは反対側に引き上げれば、きわめて簡単に、かつ小さい力で、保護キャップ３を端子台２から取り外すことができる。
【図面の簡単な説明】
【００１９】
【図１】本発明の一実施形態に係るモジュラジャックの構成を示す斜視図。
【図２】上記モジュラジャックの端子部の結線状態を示す斜視図。
【図３】（ａ）は保護キャップの一構成例を示す斜視図、（ｂ）は保護キャップを端子台に嵌装した状態を示す斜視図。
【図４】（ａ）は保護キャップの他の構成例を示す斜視図、（ｂ）は保護キャップを端子台に嵌装した状態を示す斜視図。
【符号の説明】
【００２０】
１  ハウジング
２  端子台
３  保護キャップ
１０  モジュラジャック
２３  （端子台の）保護壁
２７  （端子台の）係合爪
３１  （保護キャップの）天板
３２  （保護キャップの）側壁
３２ａ  （保護キャップの）係合孔
３３  操作部
３３ａ  （操作部の）突起
３３ｂ  （操作部の）上端
【図１】
2006210075.tif 000003
【図２】
2006210075.tif 000004
【図３】
2006210075.tif 000005
【図４】
2006210075.tif 000006